(57)【要約】【課題】  サイトへのアクセス数を大きく増加させることができ、かつ、簡単な手続でアクセス数の増大を図ることができるサーバコンピュータや、ウエブサイトの情報リンク方法を提供する。【解決手段】  ユーザ端末から第１サイトにアクセスがあった場合（Ｓ５１、Ｓ６１）には、第１サイトが一覧表用のソースコードを含んだソースにより表されるページを表示する際に、表示サイト数やグループ等の情報を送信して一覧表をサーバに要求する（Ｓ６２）。サーバではそのグループに属する他のサイトにおいて更新日時が新しい表示サイト数分のサイトを抽出し（Ｓ７２）、抽出された画像のＵＲＬにアクセスして画像データを受信する（Ｓ７３、Ｓ７４）。そして、一覧表の元になる一覧表元データに、該画像データや文字データを貼り付けて一覧表を作成し第１サイトに送信する（Ｓ７５）。すると、ユーザ端末には一覧表が表示されたページが表示されることになる（Ｓ５２）。【選択図】        図７
2007058289.tif 000002
【特許請求の範囲】
【請求項１】
サーバコンピュータであって、
該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、
該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、
ユーザ端末からサイトへのアクセスに応じて、該一覧表をサイトのページに表示するためのソースコードである一覧表用のソースコードで、少なくとも、サイトのページに表示する一覧表の数についての情報を含む一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信する受信手段と、
該受信手段がサイトからの一覧表の送信の要求を受信した場合に、該第２記憶手段に記憶された複数のサイトの中から、該基準データに従い、表示する一覧表の数だけサイトを抽出する抽出手段と、
該抽出手段により抽出されたサイトについて、該第２記憶手段に記憶された画像を特定するためのＵＲＬにアクセスして画像データを取得する画像データ取得手段で、一覧表元データに貼り付ける画像の数に応じた数の画像データを取得する画像データ取得手段と、
該抽出手段により抽出されたサイトごとに一覧表を作成する一覧表作成手段で、該第１記憶手段に記憶された一覧表元データに、該画像データ取得手段により取得された画像データと、該第２記憶手段に記憶された文字データとを貼り付けて、一覧表を作成する一覧表作成手段と、
該一覧表作成手段により作成された一覧表のデータをサイトに送信する送信手段と、
を有することを特徴とするサーバコンピュータ。
【請求項２】
上記一覧表用のソースコードを記憶する第３記憶手段と、
該第３記憶手段に記憶された該一覧表用のソースコードをサイトのページについてのソースにコピーすることができるように、該一覧表用のソースコードを含んだ画面をサイトに表示するために該画面の情報を該サイトに送信する送信手段を有することを特徴とする請求項１に記載のサーバコンピュータ。
【請求項３】
上記一覧表作成手段により作成される一覧表には、該一覧表に対応するサイトにリンクするためのリンク情報が、上記画像データ取得手段により取得された画像データにリンク情報が付加されているか、又は、一覧表にリンク情報を付加することにより、含まれていることを特徴とする請求項１又は２に記載のサーバコンピュータ。
【請求項４】
上記第１記憶手段には、複数種類の一覧表に対応した一覧表元データが記憶され、
該一覧表用のソースコードには、複数種類の一覧表において所定の一覧表を特定するためのデータが含まれており、
上記サイトからの一覧表の要求には、一覧表の種類を特定するためのデータが含まれており、
上記一覧表作成手段は、サイトから要求された種類の一覧表に対応した一覧表元データに基づき一覧表を作成することを特徴とする請求項１又は２又は３に記載のサーバコンピュータ。
【請求項５】
上記第２記憶手段においては、サイトが属するグループが設けられていて、各サイトが属するグループの情報が記憶されていて、
該一覧表用のソースコードには、グループを特定するためのデータが含まれており、
上記サイトからの一覧表の要求には、グループを特定するためのデータが含まれており、
上記抽出手段は、サイトから要求されたグループの中からサイトを抽出することを特徴とする請求項１又は２又は３又は４に記載のサーバコンピュータ。
【請求項６】
上記第２記憶手段に記憶された画像のデータを特定するための１又は複数のＵＲＬのデータと、上記一覧表に表示するための文字データとを少なくとも第２記憶手段に登録するための１又は複数の登録画面をサイト側の端末に表示するために該登録画面のデータを送信する送信手段がサーバコンピュータに設けられていて、該登録画面への入力に従い、第２記憶手段に登録を行なうことを特徴とする請求項１又は２又は３又は４又は５に記載のサーバコンピュータ。
【請求項７】
第２記憶手段への記憶内容を更新するための画面をサイト側の端末に表示するために該画面のデータを送信する送信手段と、
該画面への入力に従い、第２記憶手段への記憶内容を更新するとともに、該第２記憶手段に更新を行った日時についてのデータである更新日時データを記憶させる更新手段と、
を有することを特徴とする請求項１又は２又は３又は４又は５又は６に記載のサーバコンピュータ。
【請求項８】
上記更新手段は、直近の更新日時から所定時間が経過していない場合には、更新を中止することを特徴とする請求項１又は２又は３又は４又は５又は６又は７に記載のサーバコンピュータ。
【請求項９】
上記一覧表を表示するサイトを抽出する際の基準となる基準データが、上記更新日時データであり、
上記抽出手段が、更新日時データに従い、更新日時が新しい順にサイトを抽出することを特徴とする請求項１又は２又は３又は４又は５又は６又は７又は８に記載のサーバコンピュータ。
【請求項１０】
上記受信手段は、一覧表の要求元であるサイトから該サイトを特定するための情報を受信し、また、上記抽出手段は、サイトの抽出に際して、一覧表の要求元であるサイトを除いて第２記憶手段に記憶された複数のサイトの中から抽出を行うことを特徴とする請求項１又は２又は３又は４又は５又は６又は７又は８又は９に記載のサーバコンピュータ。
【請求項１１】
請求項１又は２又は３又は４又は５又は６又は７又は８又は９又は１０に記載のサーバコンピュータと電気通信回線を介して接続されるサイト側のサーバコンピュータであって、
ユーザ端末からのアクセスに対してユーザ端末に表示するページについてのソースで、他のサイトについての一覧表で、文字データや画像データを含む一覧表をサイトのページに表示するためのソースコードである一覧表用のソースコードで、少なくとも、サイトのページに表示する一覧表の数についての情報を含む一覧表用のソースコードを有するソースを記憶する記憶手段と、
ユーザ端末からサイトへのアクセスに応じて、該記憶手段に記憶されたソースにより表されるページをユーザ端末に表示する際に、該一覧表用のソースコードに従い、請求項１又は２又は３又は４又は５又は６又は７又は８又は９又は１０に記載のサーバコンピュータに対して、一覧表の送信の要求で、少なくとも、表示する一覧表の数についての情報を含んだ要求を送信する送信手段と、
請求項１又は２又は３又は４又は５又は６又は７又は８又は９又は１０に記載のサーバコンピュータから送信された一覧表のデータを受信する受信手段と、
ユーザ端末からのアクセスに対してユーザ端末に表示するページに一覧表を貼り付けた画像をユーザ端末に表示するために、該画像のデータをユーザ端末に送信する送信手段と、
を有することを特徴とするサーバコンピュータ。
【請求項１２】
ユーザ端末からのアクセスに対してユーザ端末に表示するページを一覧表のみにより構成することを特徴とする請求項１１に記載のサーバコンピュータ。
【請求項１３】
サーバコンピュータであって、該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、を有するサーバコンピュータにより行う情報リンク方法であって、
ユーザ端末からサイトへのアクセスに応じて、該一覧表をサイトのページに表示するためのソースコードである一覧表用のソースコードで、少なくとも、サイトのページに表示する一覧表の数についての情報を含む一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信する受信工程と、
該受信工程においてサイトからの一覧表の送信の要求を受信した場合に、該第２記憶手段に記憶された複数のサイトの中から、該基準データに従い、表示する一覧表の数だけサイトを抽出する抽出工程と、
該抽出工程により抽出されたサイトについて、該第２記憶手段に記憶された画像を特定するためのＵＲＬにアクセスして画像データを取得する画像データ取得工程で、一覧表元データに貼り付ける画像の数に応じた数の画像データを取得する画像データ取得工程と、
該抽出工程により抽出されたサイトごとに一覧表を作成する一覧表作成工程で、該第１記憶手段に記憶された一覧表元データに、該画像データ取得工程により取得された画像データと、該第２記憶手段に記憶された文字データとを貼り付けて、一覧表を作成する一覧表作成工程と、
該一覧表作成工程により作成された一覧表のデータをサイトに送信する送信工程と、
を有することを特徴とする情報リンク方法。
【請求項１４】
上記サーバコンピュータには、上記一覧表用のソースコードを記憶する第３記憶手段が設けられ、情報リンク方法が、該第３記憶手段に記憶された該一覧表用のソースコードをサイトのページについてのソースにコピーすることができるように、該一覧表用のソースコードを含んだ画面をサイトに表示するために該画面の情報を該サイトに送信する送信工程を有することを特徴とする請求項１３に記載の情報リンク方法。
【請求項１５】
上記一覧表作成手段により作成される一覧表には、該一覧表に対応するサイトにリンクするためのリンク情報が、上記画像データ取得手段により取得された画像データにリンク情報が付加されているか、又は、一覧表にリンク情報を付加することにより、含まれていることを特徴とする請求項１３又は１４に記載の情報リンク方法。
【請求項１６】
上記第１記憶手段には、複数種類の一覧表に対応した一覧表元データが記憶され、
該一覧表用のソースコードには、複数種類の一覧表において所定の一覧表を特定するためのデータが含まれており、
上記サイトからの一覧表の要求には、一覧表の種類を特定するためのデータが含まれており、
上記一覧表作成工程においては、サイトから要求された種類の一覧表に対応した一覧表元データに基づき一覧表を作成することを特徴とする請求項１３又は１４又は１５に記載の情報リンク方法。
【請求項１７】
上記第２記憶手段においては、サイトが属するグループが設けられていて、各サイトが属するグループの情報が記憶されていて、
該一覧表用のソースコードには、グループを特定するためのデータが含まれており、
上記サイトからの一覧表の要求には、グループを特定するためのデータが含まれており、
上記抽出工程においては、サイトから要求されたグループの中からサイトを抽出することを特徴とする請求項１３又は１４又は１５又は１６に記載の情報リンク方法。
【請求項１８】
請求項１又は２又は３又は４又は５又は６又は７又は８又は９又は１０に記載のサーバコンピュータと電気通信回線を介して接続されるサイト側のサーバコンピュータであって、ユーザ端末からのアクセスに対してユーザ端末に表示するページについてのソースで、他のサイトについての一覧表で、文字データや画像データを含む一覧表をサイトのページに表示するためのソースコードである一覧表用のソースコードで、少なくとも、サイトのページに表示する一覧表の数についての情報を含む一覧表用のソースコードを有するソースを記憶する記憶手段を有するサーバコンピュータにより行われる情報リンク方法であって、
ユーザ端末からサイトへのアクセスに応じて、該記憶手段に記憶されたソースにより表されるページをユーザ端末に表示する際に、該一覧表用のソースコードに従い、請求項１又は２又は３又は４又は５又は６又は７又は８又は９又は１０に記載のサーバコンピュータに対して、一覧表の送信の要求で、少なくとも、表示する一覧表の数についての情報を含んだ要求を送信する送信工程と、
請求項１又は２又は３又は４又は５又は６又は７又は８又は９又は１０に記載のサーバコンピュータから送信された一覧表のデータを受信する受信工程と、
ユーザ端末からのアクセスに対してユーザ端末に表示するページに一覧表を貼り付けた画像をユーザ端末に表示するために、該画像のデータをユーザ端末に送信する送信工程と、
を有することを特徴とする情報リンク方法。
【請求項１９】
ユーザ端末からのアクセスに対してユーザ端末に表示するページを一覧表のみにより構成することを特徴とする請求項１８に記載の情報リンク方法。
【発明の詳細な説明】
【技術分野】
【０００１】
本発明は、ウエブサイトの情報のリンクを行うサーバコンピュータと、ウエブサイトの情報のリンクを行う方法に関するものである。
【背景技術】
【０００２】
従来、インターネットのウエブサイトにおいて、リンク集等により他のウエブサイトへのリンクを形成することが行われている。
【０００３】
また、相互リンクの申込みが簡単にできるとともに、相互リンク集などのウエブページの設定までを自動的に行うことが可能なシステムとして特許文献１に記載のシステムが開示されている。
【０００４】
また、サイトへのアクセス数を増加させるために、内容的に連続したコンテンツが複数のホームページに分散して掲載され、コンテンツの進行順序に従って複数のホームページがリンクされているように構成したものが開示されている（特許文献２）。
【特許文献１】特開２００４−２４６６２６号公報
【特許文献２】特開２００１−２２２４５８号公報
【発明の開示】
【発明が解決しようとする課題】
【０００５】
しかし、ホームページの作成に当たりリンクを形成することは従来から行われているが、ホームページの運営者側からすれば自分のサイトへのアクセス数を増加させるためには、自分のサイトがリンク先として設定されることが望まれる。
【０００６】
その点、上記特許文献１の相互リンクの自動化は、１つの方法ではあるが、相互リンクを簡易にしたのみであって、サイトへのアクセス数の大きな増加は望めない。また、相互リンクの申込みを申込みの相手方に行う必要があるので、その点では手続が面倒である。
【０００７】
また、上記特許文献２のように、コンテンツの進行順序に従って複数のホームページがリンクされる場合についても、連続したコンテンツの数にリンク先の数が依存するので、あるサイトへのアクセス数の大きな増加は望めない。また、内容的に連続したコンテンツを作成しなければならず、その点でも面倒である。
【０００８】
そこで、本発明は、サイトへのアクセス数を大きく増加させることができ、かつ、簡単な手続でアクセス数の増大を図ることができるサーバコンピュータや、ウエブサイトの情報リンク方法を提供することを目的とするものである。
【課題を解決するための手段】
【０００９】
本発明は上記問題点を解決するために創作されたものであって、第１には、サーバコンピュータであって、該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、ユーザ端末からサイトへのアクセスに応じて、該一覧表をサイトのページに表示するためのソースコードである一覧表用のソースコードで、少なくとも、サイトのページに表示する一覧表の数についての情報を含む一覧表用のソースコードを含むソースにより表されるページ（「ソースに対応したページ」としてもよい。他においても同じ）をユーザ端末に表示する際に、該サイトから該一覧表用のソースコードに従い行われた一覧表の送信の要求で、少なくとも、表示する一覧表の数についての情報を含んだ要求を受信する受信手段と、該受信手段がサイトからの一覧表の送信の要求を受信した場合に、該第２記憶手段に記憶された複数のサイトの中から、該基準データに従い、表示する一覧表の数だけサイトを抽出する抽出手段と、該抽出手段により抽出されたサイトについて、該第２記憶手段に記憶された画像を特定するためのＵＲＬにアクセスして画像データを取得する画像データ取得手段で、一覧表元データに貼り付ける画像の数に応じた数の画像データを取得する画像データ取得手段と、該抽出手段により抽出されたサイトごとに一覧表を作成する一覧表作成手段で、該第１記憶手段に記憶された一覧表元データに、該画像データ取得手段により取得された画像データと、該第２記憶手段に記憶された文字データとを貼り付けて、一覧表を作成する一覧表作成手段と、該一覧表作成手段により作成された一覧表のデータをサイトに送信する送信手段と、を有することを特徴とする。
【００１０】
この第１の構成のサーバコンピュータにおいては、受信手段が、ユーザ端末からサイトへのアクセスに応じて、該一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信すると、抽出手段が、該第２記憶手段に記憶された複数のサイトの中から、該基準データに従い、表示する一覧表の数だけサイトを抽出する。そして、画像データ取得手段が、該抽出手段により抽出されたサイトについて、該第２記憶手段に記憶された画像を特定するためのＵＲＬにアクセスして画像データを取得する。その際、一覧表元データに貼り付ける画像の数に応じた数の画像データを取得する。そして、一覧表作成手段が、該抽出手段により抽出されたサイトごとに一覧表を作成する。つまり、該第１記憶手段に記憶された一覧表元データに、該画像データ取得手段により取得された画像データと、該第２記憶手段に記憶された文字データとを貼り付けて、一覧表を作成する。一覧表を作成したら、送信手段が、該一覧表作成手段により作成された一覧表のデータをサイトに送信する。これにより、該サイトのページに一覧表が表示される。よって、一覧表に表示される画像データに該一覧表に対応するサイトのＵＲＬの情報を付加しておくことにより、その画像データをクリックすれば、該サイトのページにジャンプすることが可能となる。
【００１１】
よって、あるサイトにアクセスすることにより、他のサイトについての一覧表が表示されるので、一覧表に表示されたサイトへのアクセスを増加させることができる。特に、あるサイトにアクセスした場合に、登録された他のサイトを一覧表にして表示できるので、サイト同士で一覧表に表示する情報を互いに供給し合うことができるので、いわばアクセスを循環させることができ、各サイト同士が他のサイトへのアクセスの増加に寄与することができる。また、各サイトとしては、第２記憶手段への記憶内容を登録しておき、また、自身のサイトのページのソースに一覧表用のソースコードを設けておけばよいので、容易に操作で互いのサイトの情報をリンクさせて、各サイトのアクセスを増加させることができる。
【００１２】
なお、上記第１の構成を以下のようにしてもよい。すなわち、「サーバコンピュータであって、該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、該一覧表をサイトのページに表示するためのソースコードである一覧表用のソースコードで、少なくとも、サイトのページに表示する一覧表の数についての情報を含むソースコードを記憶する第３記憶手段と、ユーザ端末からサイトへのアクセスに応じて、該第３記憶手段に記憶された該一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信する受信手段と、該受信手段がサイトからの一覧表の送信の要求を受信した場合に、該第２記憶手段に記憶された複数のサイトの中から、該基準データに従い、表示する一覧表の数だけサイトを抽出する抽出手段と、該抽出手段により抽出されたサイトについて、該第２記憶手段に記憶された画像を特定するためのＵＲＬにアクセスして画像データを取得する画像データ取得手段で、一覧表元データに貼り付ける画像の数に応じた数の画像データを取得する画像データ取得手段と、該抽出手段により抽出されたサイトごとに一覧表を作成する一覧表作成手段で、該第１記憶手段に記憶された一覧表元データに、該画像データ取得手段により取得された画像データと、該第２記憶手段に記憶された文字データとを貼り付けて、一覧表を作成する一覧表作成手段と、該一覧表作成手段により作成された一覧表のデータをサイトに送信する送信手段と、を有することを特徴とするサーバコンピュータ。」とする。
【００１３】
また、第２には、上記第１の構成において、上記一覧表用のソースコードを記憶する第３記憶手段と、該第３記憶手段に記憶された該一覧表用のソースコードをサイトのページについてのソースにコピーすることができるように、該一覧表用のソースコードを含んだ画面をサイトに表示するために該画面の情報を該サイトに送信する送信手段を有することを特徴とする。
【００１４】
これにより、サイトにおいて一覧表用のソースコードをコピーすることにより、該一覧表用のソースコードがコピーされたソースのページを表示する際に、サイトからサーバコンピュータに対して容易に上記要求を行うことができる。
【００１５】
また、第３には、上記第１又は第２の構成において、上記一覧表作成手段により作成される一覧表には、該一覧表に対応するサイトにリンクするためのリンク情報が、上記画像データ取得手段により取得された画像データにリンク情報が付加されているか、又は、一覧表にリンク情報を付加することにより、含まれていることを特徴とする。
【００１６】
これにより、画像データの部分をクリックするか、あるいは、一覧表に付加されたリンク情報をクリックすることにより、そのリンク先のページにジャンプすることができ、一覧表に対応したサイトへのアクセスを増加させることができる。
【００１７】
また、第４には、上記第１から第３までのいずれかの構成において、上記第１記憶手段には、複数種類の一覧表に対応した一覧表元データが記憶され、該一覧表用のソースコードには、複数種類の一覧表において所定の一覧表を特定するためのデータが含まれており、上記サイトからの一覧表の要求には、一覧表の種類を特定するためのデータが含まれており、上記一覧表作成手段は、サイトから要求された種類の一覧表に対応した一覧表元データに基づき一覧表を作成することを特徴とする。
【００１８】
よって、一覧表用のソースコードに、複数種類の一覧表の中から所望の一覧表を特定することにより、サイトに所望の一覧表を表示させることができる。
【００１９】
また、第５には、上記第１から第４までのいずれかの構成において、上記第２記憶手段においては、サイトが属するグループが設けられていて、各サイトが属するグループの情報が記憶されていて、該一覧表用のソースコードには、グループを特定するためのデータが含まれており、上記サイトからの一覧表の要求には、グループを特定するためのデータが含まれており、上記抽出手段は、サイトから要求されたグループの中からサイトを抽出することを特徴とする。
【００２０】
よって、サイトから指定した所定のグループに属するサイトの中からサイトを抽出して一覧表を表示することが可能となる。
【００２１】
なお、上記第５の構成を以下のようにしてもよい。すなわち、「第５には、上記第１から第４までのいずれかの構成において、上記第２記憶手段においては、サイトが属するグループが設けられていて、各サイトが属するグループの情報が記憶されていて、上記第１記憶手段には、グループごとに一覧表元データが記憶され、該第３記憶手段に記憶された一覧表用のソースコードには、グループを特定するためのデータが含まれており、上記サイトからの一覧表の要求には、グループを特定するためのデータが含まれており、上記抽出手段は、サイトから要求されたグループの中からサイトを抽出し、一覧表作成手段は、サイトから要求されたグループに応じた一覧表元データに基づき一覧表を作成することを特徴とする。」とする。
【００２２】
なお、上記の各構成において、上記複数種類の一覧表は、一覧表に表示する文字データが表す内容と、一覧表に表示する画像データの数と、文字データや画像データの表示の体裁と、における少なくともいずれかにより異なる種類に構成されているものとするのが好ましい。
【００２３】
また、第６には、上記第１から第５までのいずれかの構成において、上記第２記憶手段に記憶された画像のデータを特定するための１又は複数のＵＲＬのデータと、上記一覧表に表示するための文字データとを少なくとも第２記憶手段に登録するための１又は複数の登録画面をサイト側の端末に表示するために該登録画面のデータを送信する送信手段がサーバコンピュータに設けられていて、該登録画面への入力に従い、第２記憶手段に登録を行なうことを特徴とする。よって、サイトから各データを登録することが可能となる。
【００２４】
また、第７には、上記第１から第６までのいずれかの構成において、第２記憶手段への記憶内容を更新するための画面をサイト側の端末に表示するために該画面のデータを送信する送信手段と、該画面への入力に従い、第２記憶手段への記憶内容を更新するとともに、該第２記憶手段に更新を行った日時についてのデータである更新日時データを記憶させる更新手段と、を有することを特徴とする。
【００２５】
これにより、第２記憶手段への記憶内容をサイト側から更新できるので、一覧表への表示内容も更新することが可能となる。
【００２６】
また、第８には、上記第１から第７までのいずれかの構成において、上記更新手段は、直近の更新日時から所定時間が経過していない場合には、更新を中止することを特徴とする。これにより、サイトの抽出に際して更新日時を基準に行う場合に、頻繁に更新が行われているサイトを除外することができ、あるサイトのページに他のサイトの一覧表を偏りなく表示させることができる。
【００２７】
また、第９には、上記第１から第８までのいずれかの構成において、上記一覧表を表示するサイトを抽出する際の基準となる基準データが、上記更新日時データであり、
上記抽出手段が、更新日時データに従い、更新日時が新しい順にサイトを抽出することを特徴とする。
【００２８】
また、第１０には、上記第１から第９までのいずれかの構成において、上記受信手段は、一覧表の要求元であるサイトから該サイトを特定するための情報を受信し、また、上記抽出手段は、サイトの抽出に際して、一覧表の要求元であるサイトを除いて第２記憶手段に記憶された複数のサイトの中から抽出を行うことを特徴とする。
【００２９】
なお、上記の各構成において、一覧表に表示する文字データは、少なくとも、サイトの名称と、サイトに関するコメントであることを特徴とするものとするのが好ましい。
【００３０】
また、第１１には、上記第１又は２又は３又は４又は５又は６又は７又は８又は９又は１０の構成のサーバコンピュータと電気通信回線を介して接続されるサイト側のサーバコンピュータであって、ユーザ端末からのアクセスに対してユーザ端末に表示するページについてのソースで、他のサイトについての一覧表で、文字データや画像データを含む一覧表をサイトのページに表示するためのソースコードである一覧表用のソースコードで、少なくとも、サイトのページに表示する一覧表の数についての情報を含む一覧表用のソースコードを有するソースを記憶する記憶手段と、ユーザ端末からサイトへのアクセスに応じて、該記憶手段に記憶されたソースにより表されるページをユーザ端末に表示する際に、該一覧表用のソースコードに従い、上記第１又は２又は３又は４又は５又は６又は７又は８又は９又は１０の構成のサーバコンピュータに対して、一覧表の送信の要求で、少なくとも、表示する一覧表の数についての情報を含んだ要求を送信する送信手段と、上記第１又は２又は３又は４又は５又は６又は７又は８又は９又は１０の構成のサーバコンピュータから送信された一覧表のデータを受信する受信手段と、ユーザ端末からのアクセスに対してユーザ端末に表示するページに一覧表を貼り付けた画像をユーザ端末に表示するために、該画像のデータをユーザ端末に送信する送信手段と、を有することを特徴とする。
【００３１】
よって、本発明のサイト側のサーバコンピュータにアクセスすることにより、他のサイトについての一覧表が表示されるので、一覧表に表示されたサイトへのアクセスを増加させることができる。特に、あるサイトにアクセスした場合に、登録された他のサイトを一覧表にして表示できるので、サイト同士で一覧表に表示する情報を互いに供給し合うことができるので、いわばアクセスを循環させることができ、各サイト同士が他のサイトへのアクセスの増加に寄与することができる。また、各サイトとしては、第２記憶手段への記憶内容を登録しておき、また、自身のサイトのページのソースコードに一覧表用のソースコードを挿入しておけばよいので、容易に操作で互いのサイトの情報をリンクさせて、各サイトのアクセスを増加させることができる。なお、この第１１の構成において、送信手段が一覧表の送信の要求をする際に、サイトを特定するための情報（例えば、そのサイトのＵＲＬ）を送信するようにしてもよい。
【００３２】
また、第１２には、上記第１１の構成において、ユーザ端末からのアクセスに対してユーザ端末に表示するページを一覧表のみにより構成することを特徴とする。よって、一覧表用のソースコードをサイトのページのソース領域に設けるのみでサイトのページを構成することができるので、極めて容易にサイトのページを作成することが可能となる
また、第１３には、サーバコンピュータであって、該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、を有するサーバコンピュータにより行う情報リンク方法（「ウエブサイトの情報リンク方法」としてもよい。他においても同じ。）であって、ユーザ端末からサイトへのアクセスに応じて、該一覧表をサイトのページに表示するためのソースコードである一覧表用のソースコードで、少なくとも、サイトのページに表示する一覧表の数についての情報を含む一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信する受信工程と、該受信工程においてサイトからの一覧表の送信の要求を受信した場合に、該第２記憶手段に記憶された複数のサイトの中から、該基準データに従い、表示する一覧表の数だけサイトを抽出する抽出工程と、該抽出工程により抽出されたサイトについて、該第２記憶手段に記憶された画像を特定するためのＵＲＬにアクセスして画像データを取得する画像データ取得工程で、一覧表元データに貼り付ける画像の数に応じた数の画像データを取得する画像データ取得工程と、該抽出工程により抽出されたサイトごとに一覧表を作成する一覧表作成工程で、該第１記憶手段に記憶された一覧表元データに、該画像データ取得工程により取得された画像データと、該第２記憶手段に記憶された文字データとを貼り付けて、一覧表を作成する一覧表作成工程と、該一覧表作成工程により作成された一覧表のデータをサイトに送信する送信工程と、を有することを特徴とする。
【００３３】
この第１３の構成の情報リンク方法においては、受信工程において、ユーザ端末からサイトへのアクセスに応じて、該一覧表用のソースコードを含むソースのページをユーザ端末に表示する際に、該サイトから該一覧表用のソースコードに従い行われた一覧表の送信の要求で、少なくとも、表示する一覧表の数についての情報を含んだ要求を受信すると、抽出工程において、該第２記憶手段に記憶された複数のサイトの中から、該基準データに従い、表示する一覧表の数だけサイトを抽出する。そして、画像データ取得工程において、該抽出工程により抽出されたサイトについて、該第２記憶手段に記憶された画像を特定するためのＵＲＬにアクセスして画像データを取得する。その際、一覧表元データに貼り付ける画像の数に応じた数の画像データを取得する。そして、一覧表作成工程において、該抽出工程により抽出されたサイトごとに一覧表を作成する。つまり、該第１記憶手段に記憶された一覧表元データに、該画像データ取得手段により取得された画像データと、該第２記憶手段に記憶された文字データとを貼り付けて、一覧表を作成する。一覧表を作成したら、送信工程において、該一覧表作成工程により作成された一覧表のデータをサイトに送信する。これにより、該サイトのページに一覧表が表示される。よって、一覧表に表示される画像データに該一覧表に対応するサイトのＵＲＬの情報を付加しておくことにより、その画像データをクリックすれば、該サイトのページにジャンプすることが可能となる。
【００３４】
よって、あるサイトにアクセスすることにより、他のサイトについての一覧表が表示されるので、一覧表に表示されたサイトへのアクセスを増加させることができる。特に、あるサイトにアクセスした場合に、登録された他のサイトを一覧表にして表示できるので、サイト同士で一覧表に表示する情報を互いに供給し合うことができるので、いわばアクセスを循環させることができ、各サイト同士が他のサイトへのアクセスの増加に寄与することができる。また、各サイトとしては、第２記憶手段への記憶内容を登録しておき、また、自身のサイトのページのソースに一覧表用のソースコードを設けておけばよいので、容易に操作で互いのサイトの情報をリンクさせて、各サイトのアクセスを増加させることができる。
【００３５】
なお、上記第１３の構成を以下のようにしてもよい。すなわち、「サーバコンピュータであって、該サーバコンピュータに電気通信回線を介して接続されるサイトのページに表示する、他のサイトについての一覧表で、文字データや画像データを含む一覧表における文字データや画像データを貼り付ける前の状態の一覧表元データを記憶する第１記憶手段と、該サーバコンピュータに電気通信回線を介して接続される複数のサイトごとに所定の情報を記憶する第２記憶手段であって、サイトごとに、該一覧表に表示するための画像のデータを特定するための１又は複数のＵＲＬのデータと、該一覧表に表示するための文字データと、一覧表を表示するサイトを抽出する際の基準となる基準データと、を記憶する第２記憶手段と、該一覧表をサイトのページに表示するためのソースコードである一覧表用のソースコードで、少なくとも、サイトのページに表示する一覧表の数についての情報を含むソースコードを記憶する第３記憶手段と、を有するサーバコンピュータにより行う情報リンク方法であって、ユーザ端末からサイトへのアクセスに応じて、該第３記憶手段に記憶された該一覧表用のソースコードを含むソースにより表されるページをユーザ端末に表示する際に、該サイトから該一覧表用のソースコードに従い行われた一覧表の送信の要求で、少なくとも、表示する一覧表の数についての情報を含んだ要求を受信する受信工程と、該受信工程においてサイトからの一覧表の送信の要求を受信した場合に、該第２記憶手段に記憶された複数のサイトの中から、該基準データに従い、表示する一覧表の数だけサイトを抽出する抽出工程と、該抽出工程により抽出されたサイトについて、該第２記憶手段に記憶された画像を特定するためのＵＲＬにアクセスして画像データを取得する画像データ取得工程で、一覧表元データに貼り付ける画像の数に応じた数の画像データを取得する画像データ取得工程と、該抽出工程により抽出されたサイトごとに一覧表を作成する一覧表作成工程で、該第１記憶手段に記憶された一覧表元データに、該画像データ取得工程により取得された画像データと、該第２記憶手段に記憶された文字データとを貼り付けて、一覧表を作成する一覧表作成工程と、該一覧表作成工程により作成された一覧表のデータをサイトに送信する送信工程と、を有することを特徴とする情報リンク方法。」としてもよい。
【００３６】
また、第１４には、上記第１３の構成において、上記サーバコンピュータには、上記一覧表用のソースコードを記憶する第３記憶手段が設けられ、情報リンク方法が、該第３記憶手段に記憶された該一覧表用のソースコードをサイトのページについてのソースにコピーすることができるように、該一覧表用のソースコードを含んだ画面をサイトに表示するために該画面の情報を該サイトに送信する送信工程を有することを特徴とする。
【００３７】
これにより、サイトにおいて一覧表用のソースコードをコピーすることにより、該一覧表用のソースコードがコピーされたソースのページを表示する際に、サイトからサーバコンピュータに対して容易に上記要求を行うことができる。
【００３８】
また、第１５には、上記第１３又は第１４の構成において、上記一覧表作成手段により作成される一覧表には、該一覧表に対応するサイトにリンクするためのリンク情報が、上記画像データ取得手段により取得された画像データにリンク情報が付加されているか、又は、一覧表にリンク情報を付加することにより、含まれていることを特徴とする。
【００３９】
これにより、画像データの部分をクリックするか、あるいは、一覧表に付加されたリンク情報をクリックすることにより、そのリンク先のページにジャンプすることができ、一覧表に対応したサイトへのアクセスを増加させることができる。
【００４０】
また、第１６には、上記第１３から第１５までのいずれかの構成において、上記第１記憶手段には、複数種類の一覧表に対応した一覧表元データが記憶され、該一覧表用のソースコードには、複数種類の一覧表において所定の一覧表を特定するためのデータが含まれており、上記サイトからの一覧表の要求には、一覧表の種類を特定するためのデータが含まれており、上記一覧表作成工程においては、サイトから要求された種類の一覧表に対応した一覧表元データに基づき一覧表を作成することを特徴とする。
【００４１】
よって、一覧表用のソースコードに、複数種類の一覧表の中から所望の一覧表を特定することにより、サイトに所望の一覧表を表示させることができる。
【００４２】
また、第１７には、上記第１３から第１６までのいずれかの構成において、上記第２記憶手段においては、サイトが属するグループが設けられていて、各サイトが属するグループの情報が記憶されていて、該一覧表用のソースコードには、グループを特定するためのデータが含まれており、上記サイトからの一覧表の要求には、グループを特定するためのデータが含まれており、上記抽出工程においては、サイトから要求されたグループの中からサイトを抽出することを特徴とする。
【００４３】
よって、サイトから指定した所定のグループに属するサイトの中からサイトを抽出して一覧表を表示することが可能となる。
【００４４】
なお、上記第１７の構成を以下のようにしてもよい。すなわち、「第１７には、上記第１３から第１６までのいずれかの構成において、上記第２記憶手段においては、サイトが属するグループが設けられていて、各サイトが属するグループの情報が記憶されていて、上記第１記憶手段には、グループごとに一覧表元データが記憶され、該第３記憶手段に記憶された一覧表用のソースコードには、グループを特定するためのデータが含まれており、上記サイトからの一覧表の要求には、グループを特定するためのデータが含まれており、上記抽出工程においては、サイトから要求されたグループの中からサイトを抽出し、
上記一覧表作成工程においては、サイトから要求されたグループに応じた一覧表元データに基づき一覧表を作成することを特徴とする。」とする。
【００４５】
なお、上記の情報リンク方法における各構成において、上記複数種類の一覧表は、一覧表に表示する文字データが表す内容と、一覧表に表示する画像データの数と、文字データや画像データの表示の体裁と、における少なくともいずれかにより異なる種類に構成されているものとするのが好ましい。
【００４６】
また、上記の情報リンク方法における各構成において、上記第２記憶手段に記憶された画像のデータを特定するための１又は複数のＵＲＬのデータと、上記一覧表に表示するための文字データとを少なくとも第２記憶手段に登録するための１又は複数の登録画面をサイト側の端末に表示するために該登録画面のデータを送信する送信手段がサーバコンピュータに設けられていて、該登録画面への入力に従い、第２記憶手段に登録を行なうことを特徴とするものとするのが好ましい。
【００４７】
また、上記の情報リンク方法における各構成において、第２記憶手段への記憶内容を更新するための画面をサイト側の端末に表示するために該画面のデータを送信する送信工程と、該画面への入力に従い、第２記憶手段への記憶内容を更新するとともに、該第２記憶手段に更新を行った日時についてのデータである更新日時データを記憶させる更新工程と、を有することを特徴とするものとするのが好ましい。
【００４８】
また、上記の情報リンク方法における各構成において、上記更新工程においては、直近の更新日時から所定時間が経過していない場合には、更新を中止することを特徴とするものとするのが好ましい。
【００４９】
また、上記の情報リンク方法における各構成において、上記一覧表を表示するサイトを抽出する際の基準となる基準データが、上記更新日時データであり、上記抽出手段が、更新日時データに従い、更新日時が新しい順にサイトを抽出することを特徴とするものとするのが好ましい。
【００５０】
また、上記の情報リンク方法における各構成において、上記受信工程においては、一覧表の要求元（すなわち、一覧表の要求元）であるサイトから該サイトを特定するための情報を受信し、また、上記抽出工程においては、サイトの抽出に際して、一覧表の要求元であるサイトを除いて第２記憶手段に記憶された複数のサイトの中から抽出を行うものとするのが好ましい。
【００５１】
また、上記の情報リンク方法における各構成において、一覧表に表示する文字データは、少なくとも、サイトの名称と、サイトに関するコメントであることを特徴とするものとするのが好ましい。
【００５２】
また、第１８には、上記第１又は２又は３又は４又は５又は６又は７又は８又は９又は１０の構成のサーバコンピュータと電気通信回線を介して接続されるサイト側のサーバコンピュータであって、ユーザ端末からのアクセスに対してユーザ端末に表示するページについてのソースで、他のサイトについての一覧表で、文字データや画像データを含む一覧表をサイトのページに表示するためのソースコードである一覧表用のソースコードで、少なくとも、サイトのページに表示する一覧表の数についての情報を含む一覧表用のソースコードを有するソースを記憶する記憶手段を有するサーバコンピュータにより行われる情報リンク方法であって、ユーザ端末からサイトへのアクセスに応じて、該記憶手段に記憶されたソースにより表されるページをユーザ端末に表示する際に、該一覧表用のソースコードに従い、上記第１又は２又は３又は４又は５又は６又は７又は８又は９又は１０の構成のサーバコンピュータに対して、一覧表の送信の要求で、少なくとも、表示する一覧表の数についての情報を含んだ要求を送信する送信工程と、第１又は２又は３又は４又は５又は６又は７又は８又は９又は１０の構成のサーバコンピュータから送信された一覧表のデータを受信する受信工程と、ユーザ端末からのアクセスに対してユーザ端末に表示するページに一覧表を貼り付けた画像をユーザ端末に表示するために、該画像のデータをユーザ端末に送信する送信工程と、を有することを特徴とする。
【００５３】
よって、本発明のサイト側のサーバコンピュータにアクセスすることにより、他のサイトについての一覧表が表示されるので、一覧表に表示されたサイトへのアクセスを増加させることができる。特に、あるサイトにアクセスした場合に、登録された他のサイトを一覧表にして表示できるので、サイト同士で一覧表に表示する情報を互いに供給し合うことができるので、いわばアクセスを循環させることができ、各サイト同士が他のサイトへのアクセスの増加に寄与することができる。また、各サイトとしては、第２記憶手段への記憶内容を登録しておき、また、自身のサイトのページのソースに一覧表用のソースコードを挿入しておけばよいので、容易に操作で互いのサイトの情報をリンクさせて、各サイトのアクセスを増加させることができる。なお、この第１８の構成における送信工程において、一覧表の送信の要求をする際に、サイトを特定するための情報（例えば、そのサイトのＵＲＬ）を送信するようにしてもよい。
【００５４】
また、第１９には、上記第１８の構成において、ユーザ端末からのアクセスに対してユーザ端末に表示するページを一覧表のみにより構成することを特徴とする。よって、一覧表用のソースコードをサイトのページのソース領域に設けるのみでサイトのページを構成することができるので、極めて容易にサイトのページを作成することが可能となる
【発明の効果】
【００５５】
本発明に基づくサーバコンピュータや情報リンク方法によれば、あるサイトにアクセスすることにより、他のサイトについての一覧表が表示されるので、一覧表に表示されたサイトへのアクセスを増加させることができる。特に、あるサイトにアクセスした場合に、登録された他のサイトを一覧表にして表示できるので、サイト同士で一覧表に表示する情報を互いに供給し合うことができるので、いわばアクセスを循環させることができ、各サイト同士が他のサイトへのアクセスの増加に寄与することができる。また、各サイトとしては、第２記憶手段への記憶内容を登録しておき、また、自身のサイトのページのソースに一覧表用のソースコードを設けておけばよいので、容易に操作で互いのサイトの情報をリンクさせて、各サイトのアクセスを増加させることができる。
【発明を実施するための最良の形態】
【００５６】
本発明においては、サイトへのアクセス数を大きく増加させることができ、かつ、簡単な手続でアクセス数の増大を図ることができるサーバコンピュータや、ウエブサイトの情報リンク方法を提供するという目的を以下のようにして実現した。
【００５７】
本発明に基づくサーバ（サーバコンピュータ、サーバ側端末）Ａは、通信回線網Ｎ（具体的には、インターネット）を介して外部の端末と接続可能となっている。つまり、図１に示すように、サーバＡは、第１サイトＢ１〜第ｎサイトＢｎの各サイト側の端末や、ユーザ側の端末であるユーザ端末Ｃとインターネットを介して通信可能となっている。このサーバＡは、各サイト側の端末Ｂ１〜Ｂｎやユーザ端末Ｃと電気通信回線（有線及び無線を含む）により接続されているともいえる。このサーバＡは、ウエブサイトの情報リンクを行うためのサーバである。
【００５８】
サーバＡの構成について説明すると、サーバＡは、図１に示すように、通信部１０と、記憶部２０と、ＣＰＵ３０とを有している。
【００５９】
ここで、通信部１０は、外部とのデータの入出力を制御するものであり、インターネットを介して外部との通信を可能とする通信装置により構成される。つまり、この通信部１０は、外部とのインターフェースとして機能するものである。
【００６０】
また、記憶部２０は、各種情報を記憶するための記憶装置であり、主として、補助記憶装置として機能する。この記憶部２０は、プログラム格納部２２と、データ格納部２４とを有している。
【００６１】
このプログラム格納部２２は、サーバＡを動作させるための各種プログラムを格納する記憶部であり、主としてＣＰＵ３０の動作を制御するためのプログラムを格納する。このプログラムとしては、外部の端末からアクセスされた場合等に所定の画面を表示させるためのプログラムである画面表示プログラムや、外部の端末における入力に基づいて受信したデータを検知するためのプログラムである入力検知プログラムや、表示された所定の画面に入力された情報を登録するためのプログラムである登録プログラムや、ユーザ端末からサイトにアクセスされ（このサイトを「被アクセスサイト」とする）、これに伴い、該被アクセスサイトから所定の情報（表示サイト数の情報や、グループの情報）が送信された場合に、該被アクセスサイトのページに情報を表示すべき他のサイトを抽出するためのプログラムである抽出プログラムや、該抽出プログラムにより抽出されたサイトから所定のデータ（例えば、画像データ）を取得するためのプログラムである取得プログラムや、一覧表データを作成するプログラムである一覧表作成プログラムと、作成した一覧表データをサイトに送信する一覧表データ送信プログラム等が挙げられる。すなわち、主として、図６、図７に示すフローチャートにおいてサーバが行う動作や、図８に示す動作を行うためのプログラムが少なくとも格納されている。
【００６２】
また、データ格納部２４は、各種データを記憶するための記憶部である。このデータ格納部２４は、具体的には、記憶装置により構成される。
【００６３】
すなわち、データ格納部２４には、図２に示すような管理テーブルＫが格納されている。この管理テーブルＫは、各サイトについて、名前、メールアドレス、パスワード、ホームページのタイトル、ホームページのＵＲＬ（Uniform Resource Locator）、第１サムネイルのＵＲＬ、第２サムネイルのＵＲＬ、グループ、コメント、第１画像のＵＲＬ、第２画像のＵＲＬ、第３画像のＵＲＬ、第４画像のＵＲＬ、第５画像のＵＲＬ、カテゴリー、更新日時、新規登録日時等の各データが登録されるようになっている。
【００６４】
ここで、管理テーブルＫに登録されるデータのうち、名前、メールアドレス、パスワード、ホームページのタイトル、ホームページのＵＲＬ、第１サムネイルのＵＲＬ、第２サムネイルのＵＲＬは、新規登録画面Ｇ１（図３参照）に入力されたデータに応じて登録され、また、コメント、第１画像のＵＲＬ、第２画像のＵＲＬ、第３画像のＵＲＬ、第４画像のＵＲＬ、第５画像のＵＲＬ、カテゴリーは、更新・変更画面Ｇ２（図４参照）に入力されたデータに応じて登録される。また、更新日時は、更新があるごとに新たな更新日時に書き換えられ、具体的には、更新・変更画面Ｇ２における更新の欄の項目、すなわち、コメント、第１画像のＵＲＬ、第２画像のＵＲＬ、第３画像のＵＲＬ、第４画像のＵＲＬ、第５画像のＵＲＬ、カテゴリーについて少なくともいずれかのデータの更新があった場合に、その更新したデータを受信した日時に書き換えられる。また、グループについては、サーバＡ側で付与されるデータであり、サーバＡ側の者が新規登録の内容等により判断してグループを割り振る。また、新規登録日時は、新規登録画面に入力された情報を受信した日時が登録される。よって、このデータ格納部２４、特に、管理テーブルＫは、上記第２記憶手段として機能することになる。
【００６５】
また、データ格納部２４には、図３〜図５等に示すようなサイトの端末に表示するための画面のデータも格納されている。ここで、図３に示す新規登録画面Ｇ１は、新規登録を行うための画面であり、図３に示すように、名前、メールアドレス、パスワード、ホームページのタイトル、ホームページのＵＲＬ、第１サムネイルのＵＲＬ、第２サムネイルのＵＲＬを入力できるように構成されている。
【００６６】
また、図４に示す更新・変更画面Ｇ２は、登録内容を更新・変更するための画面であり、更新情報欄には、コメント、第１画像のＵＲＬ、第２画像のＵＲＬ、第３画像のＵＲＬ、第４画像のＵＲＬ、第５画像のＵＲＬ、カテゴリーを入力できるように構成されている。ここで、コメントは、一覧表に表示されるコメントの内容であり、また、第１画像〜第５画像は、ある一覧表において表示される画像が３つ以上となる場合のために追加で画像のＵＲＬを登録できるようにするものである。また、カテゴリーについては、更新・変更画面Ｇ２における「マークの選択」が対応していて、図４に示す更新・変更画面Ｇ２の例では、「クーポンあり」、「個室あり」、「宴会ＯＫ」の３つのカテゴリーについて重複可能に選択できるようになっている。
【００６７】
また、更新・変更画面Ｇ２における変更情報欄は、新規登録画面Ｇ１で入力できる情報と同じ情報を入力できるようになっていて、新規登録画面Ｇ１で入力した情報を変更したい場合には、この変更情報欄に入力する。
【００６８】
この更新・変更画面Ｇ２に情報を入力したら、更新ボタンを押すことにより、情報はサーバＡに送られ、管理テーブルＫに登録される。すなわち、更新情報欄に入力されたコメント、第１画像〜第５画像のＵＲＬ、カテゴリーは、管理テーブルＫにおけるコメント、ＵＲＬ（第１画像）〜ＵＲＬ（第５画像）、カテゴリーに登録される。なお、図２の管理テーブルＫにおけるＫ１は、更新・変更画面Ｇ２（図４）における「クーポンあり」に対応し、Ｋ２は「個室あり」に対応し、Ｋ３は「宴会ＯＫ」に対応している。
【００６９】
また、図５に示すサンプルデータ表示画面Ｇ３は、被アクセスサイトのページに他のサイトの情報を表示した一覧表（例えば、図１０に示すサイトのページ画像Ｇ１０の表示例における一覧表１００、１０２がこれに当たる）を表示する際のサンプルデータと、サンプルデータに対応したソースコード（これが一覧表用のソースコードとなる）（ソースとしてもよい。他においても同じ）を表示するものであり、複数のサンプルデータと、これに対応するソースコードが表示される。このソースコードは、ドラッグすることによりコピーできるようになっている。つまり、サイトの管理者が、このソースコードをコピーして、該サイトのページのソース（つまり、該サイトのページに対応するソース）（ソースコードとしてもよい。他においても同じ）に貼り付けることにより、そのページにサンプルデータの画像を表示できるようになっている。各サンプルデータに対応する一覧表用のソースコードは、ｈｔｍｌのソースコードに埋め込むことにより動作するソースコードである。この一覧表用のソースコードは、具体的には、言語プログラムをＪａｖａＳｃｒｉｐｔ（Ｊａｖａは登録商標）とするソースコードであり、＜ｓｃｒｉｐｔ＞タグにｓｒｃ属性を指定したもので、ｓｒｃ＝以下の「ｈｔｔｐ：／／ｗｗｗ．・・・・・．ｃｏｍ」まではＵＲＬを示し、その後の、「××××」はフォルダを示し、例えば、「ｃｇｉ−ｂｉｎ」とする。その後の「ｌｃ０１１．ｃｇｉ」はファイル名（このファイル名が、「一覧表を特定するためのデータ」に当たる）を示し、その後の「ｋｔ＝ｍ１＆ｍａｘ＝２」は、カテゴリがｍ１で、表示数が２であることを示している。このカテゴリは、図２の管理テーブルＫにおけるグループに対応し（このカテゴリが、「グループを特定するためのデータ」に当たる）、また、ｍａｘ＝の後の数字は、表示数（つまり、一覧表の表示数）を示している。つまり、一覧表用のソースコードに示される内容は、ソースコードに示されるＵＲＬにおける所定のフォルダ内の所定のファイルに記憶された一覧表元データに基づき、該一覧表元データに表示サイト数とグループの情報から抽出されるサイトから得た画像を貼り付けた一覧表データを作成して、ブラウザ（つまり、被アクセスサイトのページ）に表示することを意味している。
【００７０】
なお、各サンプルデータに対応する一覧表用のソースコードのデータが、データ格納部２４に格納されている（その意味で、このデータ格納部２４は、上記第３記憶手段として機能する）。
【００７１】
また、データ格納部２４には、サンプルデータに対応するデータでブラウザに表示するためのデータ（一覧表元データ）が格納されていて（その意味で、このデータ格納部２４は、上記第１記憶手段として機能する）、所定のフォルダ内に一覧表元データのファイルデータが記憶されている。つまり、各サンプルデータに対応する一覧表元データが記憶されていて、この一覧表元データに、画像やコメントや更新日時等を貼り付けることにより一覧表データが構成される。例えば、上記ソースコードにおける「ｌｃ０１１．ｃｇｉ」のファイル名が一覧表元データを示している。また、図５に示すように、サンプルデータ１は、更新日時と、サイト名と、コメントの内容を表示するとともに、指定された画像を右下位置に表示するものであり、また、サンプルデータ２は、更新日時と、サイト名と、コメントの内容を表示するとともに、指定された２つの画像を下位置に並べて表示するものである。
【００７２】
また、ＣＰＵ３０は、サーバＡにおける各部の動作を制御するものであり、制御装置、演算装置、主記憶装置としての機能を有し、特に、プログラム格納部２２に格納された各プログラムに従い動作し、特に、以下に示すフローチャートに示すように動作する。
【００７３】
また、第１サイトＢ１〜第ｎサイトＢｎにおける各サイトは、ホームページを表示するためのホームページサーバであり、ユーザ端末Ｃからのアクセスに対して、所定のホームページの情報を表示するものである。また、各サイトの構成は、図１に示すサーバにおける構成と近似していて、通信部や、記憶部（表示すべきデータや、表示するためのプログラムが記憶されている）や、ＣＰＵが設けられている。また、このサイトには、新規登録画面Ｇ１等の画面データを表示するための表示装置や、キーボード、マウス等の入力装置が設けられている。
【００７４】
また、ユーザ端末Ｃは、第１サイトＢ１〜第ｎサイトＢｎとインターネットを介して接続可能なコンピュータであり、ＣＲＴ、ＬＣＤ等の表示装置、キーボード、マウス等の入力部を備えている。また、上記サーバＡと第１サイトＢ１〜第ｎサイトＢｎと、ユーザ端末Ｃとで情報リンクシステムＷを構成する。
【００７５】
次に、サーバＡ、さらには、これを含む情報リンクシステムＷの動作、特に、サーバＡにより行われる情報リンク方法について説明する。
【００７６】
なお、サーバＡから第１サイトＢ１等のサイトに画面を表示させる場合には、上記画面表示プログラムに従い、その画面の表示データ、つまり、ｈｔｍｌ形式のデータを該端末に送信して、これを受信したサイトにおいては、該表示データが表示部に表示されることとなる。また、サイトにおいて表示された各画面において、クリック等による選択入力又は書込み入力により入力されたデータは、サーバＡに送られ、通信部１０を介してＣＰＵ３０に送られ、プログラム格納部２２に格納された、入力データを検出するための所定のプログラムである入力検知プログラムに従い、入力データの内容が検出されることとなる。なお、本出願において、「入力」の語は、特に断らない限り、選択入力、書込み入力等の全ての入力の概念を含むものとする。検出された入力データは、一時的にＣＰＵ３０で保持され、データ格納部２４に格納されることになる。また、以下に説明する各画面において、ユーザ側端末Ｃからの必要な入力がない場合には、その入力を促す内容の指示を端末に表示するのが好ましい。
【００７７】
まず、第１サイトＢ１等の各サイトの管理者が、新規登録を行う。すなわち、まず、サイトの管理者がサーバＡにアクセスして、新規登録画面Ｇ１を表示する。例えば、メニュー画面（図示せず）に「新規登録」のメニューが用意され、この「新規登録」のメニューから新規登録画面Ｇ１を表示させることができる。新規登録画面Ｇ１の表示に当たっては、新規登録画面Ｇ１のデータが、通信部１０や画面表示プログラムに従い動作するＣＰＵ３０によりサイトに送信されるが、これらが「上記第２記憶手段に記憶された画像のデータを特定するための１又は複数のＵＲＬのデータを第２記憶手段に登録するための１又は複数の登録画面をサイト側の端末に表示するために該登録画面のデータを送信する送信手段」として機能する。
【００７８】
そして、新規登録画面Ｇ１に各情報を入力する。すなわち、図３に示すように、名前、メールアドレス、パスワード、ホームページのタイトル、ホームページのＵＲＬ、第１サムネイルのＵＲＬ、第２サムネイルのＵＲＬを入力する。なお、第１サムネイルのＵＲＬや第２サムネイルのＵＲＬは、一覧表に挿入して表示すべき画像のＵＲＬとする。すなわち、第１サムネイルのＵＲＬと第２サムネイルのＵＲＬは、画像を指定できるようにするために、静止画像の場合には、「ｈｔｔｐ：／／」から始まって「．ｇｉｆ」、「．ｊｐｇ」、「．ｐｎｇ」のいずれかで終わるＵＲＬとする。なお、第１サムネイルのＵＲＬと第２サムネイルのＵＲＬは、静止画像には限らず動画像でもよいので、動画像を表すＵＲＬとしてもよい。
【００７９】
そして、新規登録画面Ｇ１に情報を入力したら、「送信」ボタンを押してサーバＡに送信する。
【００８０】
すると、新規登録画面Ｇ１に入力された情報は、サーバＡで受信され、管理テーブルＫの名前、メールアドレス、パスワード、ホームページのタイトル、ホームページのＵＲＬ、第１サムネイルのＵＲＬ、第２サムネイルのＵＲＬに登録される。また、新規登録画面Ｇ１に入力された情報を受信した日時を新規登録日時として登録する。登録は、上記登録プログラムに従いＣＰＵ３０により行われる。
【００８１】
また、新規登録画面Ｇ１により新たなサイトについての情報が管理テーブルＫに登録された場合には、ＩＤ生成・送信プログラム（このプログラムも、プログラム格納部２２に格納されている）に基づき、ＩＤを生成して、サイト側にそのＩＤを送信して（登録されたメールアドレスに送信する）、ＩＤを付与する。
【００８２】
次に、サイトの管理者は、サンプルデータ表示画面Ｇ３から所望のサンプルデータに対応した一覧表用のソースコードをサイトのページについてのソースにコピーして貼り付ける。すなわち、まず、サイトの管理者がサーバＡにアクセスして、サンプルデータ表示画面Ｇ３を表示させる。サンプルデータ表示画面Ｇ３の表示に当たっては、サンプルデータ表示画面Ｇ３のデータが、通信部１０や画面表示プログラムに従い動作するＣＰＵ３０によりサイトに送信されるが、これらが「一覧表用のソースコードを含んだ画面をサイトに表示するために該画面の情報を該サイトに送信する送信手段」として機能する。この場合も例えば、メニュー画面（図示せず）に「サンプルデータ表示」のメニューが用意され、この「サンプルデータ表示」のメニューからサンプルデータ表示画面Ｇ３を表示させることができる。
【００８３】
そして、サイトの管理者は、複数のサンプルデータのうちから所望のサンプルデータを選択して、選択したサンプルデータに対応した一覧表用のソースコードをドラッグしてコピーし、サイトのホームページのソースに挿入する。つまり、一覧表を表示したいページにソースコードを挿入し、その挿入位置もそのページにおいて表示したい位置に応じてソースコードにおける所望の位置に挿入させる。例えば、図９は、あるページについてのソースに一覧表用のソースコードを挿入した場合の例を示すものであり（つまり、本実施例では、あるページ全体を表すための言語プログラムを「ソース」と呼んでいる）、この一覧表用のソースコードを挿入することにより、図１０に示すように、サイトのページ画像Ｇ１０内に一覧表１００、１０２が表示されるようになるのである。なお、サイトにおいて、一覧表用のソースコードを貼り付けた状態においては、当然所定の記憶手段に、あるページについてのソースで、一覧表用のソースコードを有するソースを記憶しているわけであるが、この記憶手段が、一覧表用のソースコードを有するソースを記憶する記憶手段として機能する。
【００８４】
なお、新規登録画面Ｇ１には、新規登録を行った場合には、遅滞なくソースコードのコピーの作業を行うように促す旨の説明を表示しておくことが望ましい。なお、ソースコードのコピーの方法については、サイトの管理者が理解可能なように説明しておくことが好ましい。例えば、ソースコードのコピーの方法をサンプルデータ表示画面Ｇ３に表示しておく。
【００８５】
サーバＡの管理者は、新規登録があった場合には、そのサイトのＵＲＬにアクセスして、そのサイトのページに一覧表が表示されるか否かを確認する。なお、一覧表の表示がどのように行われるかについては、後述する。
【００８６】
また、サーバＡの管理者は、該管理者の判断で、そのサイトが属するグループを決定して、そのグループのデータを管理テーブルＫに登録する。１つの例としては、そのグループを地域ごとに分けて構成する場合には、そのサイトに対応する地域（例えば、店が存在する所在地）に応じてグループ分けをする。なお、そのサイトに対応する地域については、そのサイトのホームページに表示されている住所等により決定してもよいし、新規登録画面に住所も入力するとともに、管理テーブルＫに住所を登録するようにし、その住所によりグループを決定してもよい。なお、グループ分けの方法は任意であり、そのサイトに対応する業種ごとにグループ分けしてもよい。本実施例では、飲食店についてのウエブサイトの情報のリンクを行うものであるので、例えば、和食、洋食、中華等の業種ごとにグループ分けする方法が考えられる。
【００８７】
図２の例は、ｍ１というグループにグループ分けされていることを示しており、他にｍ２、ｍ３等のグループを設定してもよい。
【００８８】
また、サイトの管理者が、追加情報を登録したり、登録した情報の更新や変更を行う場合には、図４に示す更新・変更画面Ｇ２を用いる。
【００８９】
この更新・変更画面Ｇ２を用いて登録内容の更新や変更を行う場合の動作は図６のフローチャートに示すように行われる。すなわち、まず、サイトの管理者がサーバＡにアクセス（「接続」としてもよい。他においても同じ。）して（Ｓ１１）、サーバＡがサイトからのアクセスを受信したら（Ｓ２１）、ログイン画面データを送信して（Ｓ２２）ログイン画面をサイトに表示させる（Ｓ１２）。なお、具体的には、メニュー画面（図示せず）に「更新・変更」のメニューが用意され、この「更新・変更」のメニューを選択してアクセスすると、ログイン画面が表示されることになる。
【００９０】
そして、このログイン画面においてＩＤとパスワードを入力して送信する（Ｓ１３）と、サーバＡにおいてＩＤとパスワードが受信され、受信したＩＤとパスワードが正しいか判定される（Ｓ２４）。つまり、受信したＩＤとパスワードの対が登録されているサイトが管理テーブルＫにあるか否かが判定される。管理テーブルＫに、受信したＩＤとパスワードの対が登録されている場合には、そのＩＤとパスワードの対に対応するサイトからのアクセスと判定される。なお、ＩＤとパスワードが正しくない場合には、ステップＳ１２に戻る。
【００９１】
そして、ＩＤとパスワードが正しい場合には、直近の更新から所定の時間が経過しているか否かが判定される（Ｓ２５）。つまり、管理テーブルＫに登録された、当該サイトの更新日時から所定時間（例えば、５日間）が経過しているか否かが判定される。そして、所定の時間が経過している場合には、ステップＳ２６に移行し、所定の時間が経過していない場合には、処理を終了する。これは、一覧表に表示すべきサイトを抽出する際に、更新日時順に新規なものを優先することから、頻繁に更新されるサイトをある程度排除するためである。
【００９２】
次に、サーバＡは、更新・変更画面データをサイトに送信して（Ｓ２６）、サイトでは、これを受信して更新・変更画面Ｇ２を表示する（Ｓ１４）。更新・変更画面Ｇ２の表示に当たっては、更新・変更画面Ｇ２のデータが、通信部１０や画面表示プログラムに従い動作するＣＰＵ３０によりサイトに送信されるが、これらが「上記第２記憶手段に記憶された画像のデータを特定するための１又は複数のＵＲＬのデータと、上記一覧表に表示するための文字データとを少なくとも第２記憶手段に登録するための１又は複数の登録画面をサイト側の端末に表示するために該登録画面のデータを送信する送信手段」や、「第２記憶手段への記憶内容を更新するための画面をサイト側の端末に表示するために該画面のデータを送信する送信手段」として機能する。
【００９３】
サイトにおいて、更新・変更画面Ｇ２が表示されたら、入力を行う。この更新・変更画面Ｇ２の更新情報欄に入力する場合には、コメントを入力したり、第１画像等の画像の登録をしたり、マークの選択をする。なお、この更新・変更画面Ｇ２において、最初に更新情報欄に入力して登録を行う場合は追加情報の登録といえ、２回目以降に更新情報欄に入力して登録を行う場合が更新といえる。すでに更新情報欄に入力して登録した内容を更新する場合にも、この更新情報欄に更新したい情報を入力する。すなわち、第１画像〜第５画像までのＵＲＬについては、画像を指定できるようにするために、静止画像の場合には、「ｈｔｔｐ：／／」から始まって「．ｇｉｆ」、「．ｊｐｇ」、「．ｐｎｇ」のいずれかで終わるＵＲＬとする。なお、第１画像〜第５画像は、静止画像には限らず動画像でもよいので、動画像を表すＵＲＬとしてもよい。
【００９４】
また、変更情報欄については、新規登録画面Ｇ１において登録した内容を変更したい場合には、この変更情報欄に入力する。
【００９５】
更新・変更画面Ｇ２への入力が完了したら「送信」ボタンを押して、入力された情報をサーバＡに送信する（Ｓ１５）。
【００９６】
サーバＡでは、入力された情報を受信したら（Ｓ２７）、入力された情報が正しいか否かを判定して（Ｓ２８）、正しければ管理テーブルＫに対して更新登録等の登録を行なう（Ｓ２９）。この登録は、入力検知プログラムや登録プログラムに基づいて行われ、各プログラムとこれらに従い動作するＣＰＵ３０は、上記更新手段として機能する。入力された情報が正しいか否かの判定としては、例えば、ＵＲＬを入力すべき欄にＵＲＬが入力されているか否かの判定や、メールアドレスを入力すべき欄にメールアドレスが入力されているか否かの判定等が行われる。
【００９７】
管理テーブルＫへの登録においては、更新・変更欄に新規に入力して登録する場合には、管理テーブルＫのコメントやＵＲＬ（第１画像）等のＵＲＬやカテゴリーに新たに登録される。また、すでに管理テーブルＫに登録されている状態で、更新情報欄や変更情報欄に入力された場合には、その入力された情報が書き換えられる。
【００９８】
また、管理テーブルＫへの登録を行う際に、更新日時の更新を行う（Ｓ２９）。例えば、更新・変更画面Ｇ２に入力された情報を受信して管理テーブルＫに登録した場合には、その受信した日時を更新日時として更新する。
【００９９】
以上のようにして、サイトの管理者は、新規登録画面Ｇ１による新規登録や、ソースコードのコピーや、更新・変更画面Ｇ２による追加情報の登録、更新や既登録情報の変更を行うことにより、サイト側の準備が行われる。なお、更新・変更画面Ｇ２における更新情報欄からの追加情報の登録は必ずしも行わなくても、情報リンク方法を動作させることは可能である。
【０１００】
なお、図２に示す管理テーブルＫは、第１サイト〜第３サイト等が登録した内容の例を示すものである。
【０１０１】
次に、ユーザ端末Ｃからサイトに対してアクセスがあった場合の動作について、図７を使用して説明する。なお、この図７は、ユーザ端末Ｃから第１サイトＢ１にアクセスした場合の例であるが、他のサイトにアクセスした場合も同様な動作となる。
【０１０２】
まず、ユーザＣから第１サイトＢ１にアクセスして（Ｓ５１）、第１サイトＢ１がユーザＣからのアクセスを受信して（Ｓ６１）、第１サイトＢ１は、ユーザ端末Ｃにページを表示させる。
【０１０３】
その際、第１サイトＢ１は、上記ソースコードをコピーしたページを表示する場合には、サーバＡにアクセスして、コピーされた一覧表用のソースコードに従い、サーバＡに対して情報の要求を行う（Ｓ６２）。つまり、一覧表用のソースコードに示されたＵＲＬにアクセスして、所定のフォルダに記憶された所定のファイルに記憶された一覧表元データで、表示サイト数とグループの情報から抽出されるサイトから得た画像を貼り付けた１又は複数の一覧表データを要求する。例えば、第１サイトＢ１が、ユーザ端末に対して表示するフロントページのソースに、コピーされた一覧表用のソースコードが貼り付けられている場合には、ステップＳ６２に示すように、サーバＡにアクセスして、一覧表用のソースコードに従い、ＵＲＬにアクセスして、所定のフォルダに記憶された所定のファイルに記憶された一覧表元データで、表示サイト数とグループの情報から抽出されるサイトから得た画像を貼り付けた１又は複数の一覧表データを要求する。
【０１０４】
例えば、＜ｓｃｒｉｐｔ  ｓｒｃ＝“ｈｔｔｐ：／／ｗｗｗ．○○○○○．ｃｏｍ／ｃｇｉ−ｂｉｎ／ｌｃ０１２．ｃｇｉ？ｋｔ＝ｍ１＆ｍａｘ＝２”＞＜／ｓｃｒｉｐｔ＞で示される一覧表用のソースコードの場合には、「ｈｔｔｐ：／／ｗｗｗ．○○○○○．ｃｏｍ」に示されるＵＲＬに存在するフォルダで、「ｃｇｉ−ｂｉｎ」で示されるフォルダ内に存在する、「ｌｃ０１２．ｃｇｉ」で示されるファイル（これが一覧表元データに当たる）を要求するとともに、グループをｍ１とし表示数を２として抽出されたサイトの画像を該一覧表元データに貼り付けたデータを要求するものである。また、第１サイトＢ１は、サーバＡが要求の送信元を識別できるように、サーバＡを特定するための情報（例えば、第１サイトのＵＲＬ）を送信する。
【０１０５】
このサイトからの一覧表の要求は、ソースにおける一覧表用のソースコードを読み出すためのプログラムや、読み出した一覧表用のソースコードに従い所定の一覧表を要求するためのプログラムや、サイトに設けられた通信部等により行われるが、これらが要求を送信する送信手段として機能し、またこの工程が、一覧表の送信の要求を送信する送信工程に当たる。
【０１０６】
すると、サーバＡは、第１サイトＢ１からのアクセスを受信し、一覧表の要求を受信する（Ｓ７１、受信工程）。その際、表示サイト数の情報や、グループの情報は当然受信される。この一覧表の要求の受信は、通信部１０や通信部１０の動作を制御するＣＰＵ３０等により行われるが、これらが上記受信手段として機能する。
【０１０７】
そして、サーバＡは、一覧表に表示すべきサイトを抽出する（Ｓ７２、抽出工程）。このサイトの抽出に当たっては、図８のフローチャートに示すようにサイトの抽出を行う。
【０１０８】
すなわち、第１サイトＢ１から送信されたグループの情報に従い、このグループに属するサイトを管理テーブルＫから抽出する（Ｓ９１）。
【０１０９】
そして、ステップＳ９１において抽出したサイトを更新日時順に並べ替える（Ｓ９２）。つまり、更新日時が近いものから順に並べる。この更新日時は、管理テーブルＫに登録された更新日時の情報に従う。なお、更新日時への登録がないサイトについては、新着登録日時を更新日時として扱う。
【０１１０】
そして、ステップＳ９２で並べた順で日時の近い順に、表示サイト数分だけ抽出を行う（Ｓ９３）。
【０１１１】
なお、第１サイトＢ１からサーバＡにアクセスされた場合であるので、抽出されるサイトからは第１サイトＢ１を排除する。この排除は、ステップＳ９１〜Ｓ９３のいずれかにおいて行なう。なお、一覧表を要求した送信元のサイトは、サイトから送信されたＵＲＬに従い、このＵＲＬを管理テーブルＫに登録されたホームページのＵＲＬとを比較することにより、識別することが可能である。
【０１１２】
なお、本実施例の例では、第２サイトＢ２の更新日時が最も直近であり、また、第３サイトＢ３の更新日時が次に直近であるとして、第２サイトＢ２と第３サイトＢ３とが抽出されたものとする。
【０１１３】
なお、上記のサイトの抽出に際しては、上記の説明では、一覧表の要求の送信元のサイトを排除するとして説明したが、該サイトを排除せずに、サイトの抽出を行ってもよい。この場合には、一覧表の要求の送信元のサイトも抽出対象のサイトに含まれることになる。なお、この場合には、サイトからサーバＡに対してサーバを特定するための情報の送信は必要ない。
【０１１４】
このサイトの抽出は、上記抽出プログラムとこれに従い動作するＣＰＵ３０により行われるが、これらが上記抽出手段として機能する。
【０１１５】
すると、サーバＡは、抽出されたサイトの画像のＵＲＬに対してアクセスする（Ｓ７３）。つまり、すなわち、一覧表元画像に貼り付ける画像をサイトから入力するために、サイトのＵＲＬにアクセスする。具体的には、第１サムネイル→第２サムネイル→第１画像→第２画像→第３画像→第４画像→第５画像の順の優先順位で、必要数分のＵＲＬにアクセスする。例えば、サンプルデータ２（図５）に対応する一覧表元データの場合には、貼り付ける画像は２つであるので、上記の優先順位に従い、２つのＵＲＬにアクセスを行う。また、抽出された各サイトに対してアクセスを行うので、サイトの抽出に際して、第２サイトＢ２と第３サイトＢ３とが抽出された場合には、第２サイトＢ２と第３サイトＢ３にアクセスを行う。
【０１１６】
なお、一覧表に表示する画像の数（つまり、一覧表元データに貼り付ける画像の数）が、管理テーブルＫに登録されている画像のＵＲＬの数よりも多く、管理テーブルＫに登録されている画像のＵＲＬの数が足りない場合には、一覧表に表示する画像の数には足りないが、登録されている全ての画像のＵＲＬに対してアクセスする。
【０１１７】
そして、抽出されたサイトの所定のＵＲＬにアクセスしたら（Ｓ７３、Ｓ８１）、そのＵＲＬで示される画像のデータをサイトから受信する（Ｓ８２、Ｓ７４、取得工程）。このように、抽出されたサイトからデータを取得する処理は、主として、上記取得プログラムとこれに従い動作するＣＰＵ３０により行われるが、これらが上記画像データ取得手段として機能する。なお、この画像データには、この画像データが表示された部分をクリックすると他のＵＲＬにジャンプするように、ＵＲＬのデータが添付されている場合もある。
【０１１８】
次に、サーバＡは、一覧表元データにサイトのコメント、ホームページのタイトル、更新日時等の文字データやサイトから受信した画像データを貼り付けて一覧表データを作成して（Ｓ７５、一覧表作成工程）、第１サイトＢ１に送信する（Ｓ７６、送信工程）。
【０１１９】
この一覧表データの作成に当たっては、ソースコードに従い要求された一覧表元データに、コメント、更新日時等の文字データを貼り付けるが、文字データのうちのどの文字データを貼り付け、その体裁をどのようにするかは、サンプルデータに示すように予め定められているので、それに従い文字データを貼り付ける。また、画像データについては、対応するサイトから画像データを受信しているので、この画像データを貼り付ける。なお、第１サイトＢ１にコピーされた一覧表用のソースコードが複数の表示数を示す場合には、複数の一覧表データが作成される。
【０１２０】
例えば、図１０に示されるページ画像Ｇ１０内に表示される一覧表１００は、サンプルデータ２に対応する一覧表元データに、管理テーブルＫに登録された第２サイトＢ２の情報で、更新日時と、ホームページのタイトルと、コメントと、カテゴリーの情報を貼り付けるとともに、第２サイトから受信した２つの画像データを貼り付けて構成したものである。また、図１０に示されるページ画像Ｇ１０内に表示される一覧表１０２は、サンプルデータ２に対応する一覧表元データに、管理テーブルＫに登録された第３サイトＢ３の情報で、更新日時と、ホームページのタイトルと、コメントと、カテゴリーの情報を貼り付けるとともに、第３サイトから受信した２つの画像データを貼り付けて構成したものである。上記のような一覧表データの作成は、上記一覧表データ作成プログラムとこれに従い動作するＣＰＵ３０により行われるが、これらが上記一覧表作成手段として機能する。また、一覧表データの送信は、上記一覧表データ送信プログラムとこれに従い動作するＣＰＵ３０により行われるが、これらが一覧表のデータを送信する上記送信手段として機能する。
【０１２１】
なお、抽出されたサイトについて、新規登録画面Ｇ１による登録のみで、更新・変更画面Ｇ２による登録がされておらず、更新情報欄への入力による登録が管理テーブルＫにされていない場合には、それらの情報は一覧表元データには貼り付けられない。例えば、コメントのデータは一覧表元データには貼り付けられない。
【０１２２】
また、一覧表に表示する画像の数が、管理テーブルＫに登録されている画像のＵＲＬの数よりも多く、管理テーブルＫに登録されている画像のＵＲＬの数が足りない場合には、足りない画像の部分については、画像が貼り付けられない状態として一覧表データを作成する。
【０１２３】
上記のようにして、一覧表データを作成したら、サーバＡは、一覧表データを第１サイトに送信する。
【０１２４】
第１サイトＢ１は、一覧表データを受信したら（Ｓ６３、受信工程、この受信は、サイトに設けられた通信部等により行われるが、これらが一覧表のデータを受信する受信手段として機能する）、一覧表データを含む表示画像データをユーザ端末Ｃに対して送信する（Ｓ６４）。すると、ユーザ端末Ｃに一覧表データを含む表示画像データが表示される（Ｓ５２）。
【０１２５】
すなわち、ユーザ端末Ｃに対して表示すべきページの画像（上記サーバＡからコピーしたソースコードを含むソースにより表される（特定されるとしてもよい）ページの画像）のデータをユーザ端末Ｃに対して送信して、その画像を表示するのであるが、これは、該コピーしたソースコードがない場合のソースが示す画像に、一覧表データを添付した画像といえる。
【０１２６】
図１０は、第１サイトＢ１からユーザ端末Ｃに表示されたページ画像の一例を示すものであり、この図１０に示す画像から一覧表１００、１０２の画像を除いた画像が、該コピーしたソースコードがない場合のソースが示す画像といえる。このように、図１０に示す例では、第１サイトＢ１にアクセスすることにより、第２サイトＢ２の内容を示す一覧表１００と、第３サイトＢ３の内容を示す一覧表とが表示されることになる。
【０１２７】
そして、各一覧表に表示されている画像にＵＲＬの情報が添付されている場合には、該画像をクリックすることにより、そのＵＲＬに示されるページにジャンプして、該ページが表示されることになる。例えば、一覧表１００に表示された画像に添付されたＵＲＬが第２サイトＢ２のフロントページのＵＲＬである場合には、該画像をクリックすることにより、第２サイトＢ２のフロントページが表示されることになる。
【０１２８】
なお、上記の説明では、抽出されたサイトから取得する画像データにリンク情報としてそのサイトのＵＲＬを付加しておくことにより、一覧表内の該画像データをクリックすると、そのサイトにジャンプするものとして説明したが、該抽出サイトのＵＲＬを画像データに付加するのではなく、一覧表内にリンク情報として該ＵＲＬを表示して、そのＵＲＬをクリックすることによりそのサイトにジャンプすることができるようにしてもよい。
【０１２９】
以上のように、本実施例のサーバＡによれば、サンプルデータに対応したソースコードをサイトのページのソースにコピーしておくことにより、該サイトのソースに対応する画像を表示する際に、ソースコードが示すグループに属するサイトで、更新順でソースコードが示す表示数のサイトを抽出して、そのサイトについての情報を画像情報を含めて一覧表として表示され、一覧表に表示された画像をクリックすることにより、そのサイトのページにジャンプすることができるので、一覧表がリンク情報として表示され、一覧表に表示されたサイトへのアクセスを増加させることができる。例えば、図１０に示す例では、２つの一覧表を表示するものであるが、サンプルデータにおいて、一覧表を表示する数を多くすることにより、多くのサイトの一覧表が表示でき、各サイトへのアクセス数を増加することができる。
【０１３０】
特に、あるサイトにアクセスした場合に、グループに属する他のサイトを一覧表にして表示できるので、そのグループに属するサイト同士で一覧表に表示する情報を互いに供給し合うことができるので、いわばアクセスを循環させることができ、各サイト同士が他のサイトへのアクセスの増加に寄与することができる。
【０１３１】
アクセスの循環の例を１つ示すと、図１１のようになり、第１サイトＢ１と、第２サイトＢ２と、第３サイトＢ３と、第４サイトＢ４とが登録されていて、更新日時が第１サイトＢ１→第２サイトＢ２→第３サイトＢ３→第４サイトＢ４であったとすると、第１サイトＢ１にアクセスした場合には、第２サイトＢ２と第３サイトＢ３の一覧表が第１サイトＢ１のページに表示され、第２サイトＢ２にアクセスした場合には、第１サイトＢ１と第３サイトＢ３の一覧表が第２サイトＢ２のページに表示され、第３サイトＢ３にアクセスした場合には、第１サイトＢ１と第２サイトＢ２の一覧表が第３サイトＢ３のページに表示され、第４サイトＢ４にアクセスした場合には、第１サイトＢ１と第２サイトＢ２の一覧表が第４サイトＢ４のページに表示されることになる。なお、サイトの抽出に対して、一覧表の要求の送信元（つまり、ユーザ端末からアクセスしたサイト）を排除しない場合には、第１サイトＢ１と第２サイトＢ２の一覧表が表示されることになる。
【０１３２】
なお、上記の例では、あるサイトのページに一覧表を表示するものとして説明したが、あるサイトのページを一覧表データのみにより構成して、該一覧表をサイトのページとして表示するようにしてもよい。
【０１３３】
すなわち、図９、図１０に示す例では、あるサイトのあるページを表示内容を示すソースに、サーバＡから一覧表用のソースコードをコピーして、あるサイトのあるページの表示内容に一覧表を表示させるものとして説明したが、あるサイトのあるページのソースを一覧表用のソースコードのみとして、一覧表のみによってそのページを構成するのである。
【０１３４】
例えば、図１２に示すサイトのページ画像Ｇ１１の表示例に示すように、ページ画像Ｇ１１には、一覧表１１０が表示されている。この一覧表１１０は、第１サイトＢ１についての個別一覧表１１２と、第２サイトＢ２についての個別一覧表１１４と、第３サイトＢ３についての個別一覧表１１６等を表示した一覧表であり、この一覧表１１０において、各個別一覧表における画像データや文字データを除いた状態の一覧表元データがサーバＡに予め用意されていて、上記のように、所定のサイト表示数と、グループとで特定されるサイトを抽出して、抽出されたサイトについての文字データを管理テーブルＫから読み出して一覧表元データに貼り付けるとともに、抽出された各サイトから管理テーブルＫに登録された画像のＵＲＬに基づき受信した画像データを一覧表元データに貼り付けることにより一覧表１１０のデータが作成され、この一覧表１１０のデータをサイトのページに表示したものである。
【０１３５】
この場合には、このページの表示内容を示すソースには、一覧表用のソースコード以外には記載されておらず、いわばサイトの該ページは、一覧表用のデータのみから構成されているといえる。その場合のソースの一例を示すと、図１３に示すようになり、実質的に一覧表用のソースコードのみから構成されている。つまり、該ページのソースは、＜ｈｔｍｌ＞、＜ｂｏｄｙ＞等のタグを除いて、一覧表用のソースコードのみから構成されている。
【０１３６】
このように、一覧表用のデータのみによりサイトのあるページを構成する場合には、一覧表用のソースコードをサイトのページのソース領域にコピーするのみでサイトのページを構成することができるので、極めて容易にサイトのページを作成することが可能となる。
【０１３７】
また、上記の説明においては、グループが設けられていて、例えば、管理テーブルＫには各サイトがグループ分けされていて、一覧表用のソースコードにもグループを指定する内容が含まれていて、サイトの抽出に当たっても、そのグループに属するサイトから抽出を行うものとして説明したが、グループを設けないものとしてもよい。その場合には、管理テーブルＫにはグループのデータは記憶されず、一覧表用のソースコードにはグループを指定する内容は含まれず、また、サイトの抽出に当たっても、グループは考慮されないことになる。
【０１３８】
なお、上記の説明においては、サイトの管理者は、サンプルデータ表示画面Ｇ３から所望のサンプルデータに対応した一覧表用のソースコードをサイトのページのソースにコピーして貼り付けるものとして説明したが、他の方法により、サイトのページのソースに一覧表用のソースコードを追加するようにしてもよい。例えば、サーバＡから電子メール等により、一覧表用のソースコードをサイト側に送り、該一覧表用のソースコードを受信したサイト側の管理者が、サイトのページのソースに該一覧表用のソースコードを追加するようにしてもよい。また、一覧表用のソースコードの言語プログラムは、他の種類の言語プログラムでもよい。
【図面の簡単な説明】
【０１３９】
【図１】本発明の実施例に基づくサーバの構成とサーバを含む情報リンクシステムの構成を示すブロック図である。
【図２】管理テーブルの構成を示す説明図である。
【図３】新規登録画面の表示状態を示す説明図である。
【図４】更新・変更画面の表示状態を示す説明図である。
【図５】サンプルデータ表示画面の表示状態を示す説明図である。
【図６】更新・変更画面により登録内容の更新や変更を行なう場合の動作を示すフローチャートである。
【図７】ユーザ端末からサイトに対してアクセスがあった場合の動作を示すフローチャートである。
【図８】表示すべきサイトを抽出する場合の動作を示すフローチャートである。
【図９】サイトのあるページのソースに一覧表用のソースコードを貼り付けた状態の例を示す説明図である。
【図１０】一覧表が表示された状態のサイトのページ画像の表示状態を示す説明図である。
【図１１】本実施例の情報リンクシステムによるアクセスの循環の例を示す説明図である。
【図１２】一覧表のみでサイトのページ画像を構成した場合のページ画像の表示状態を示す説明図である。
【図１３】一覧表のみからページを構成する場合のソースの例を示す説明図である。
【符号の説明】
【０１４０】
Ａ  サーバ
Ｂ１  第１サイト
Ｂ２  第２サイト
Ｂｎ  第ｎサイト
Ｃ  ユーザー端末
Ｗ  情報リンクシステム
１０  通信部
２０  記憶部
２２  プログラム格納部
２４  データ格納部
３０  ＣＰＵ
Ｋ  管理テーブル
【図１】
2007058289.tif 000003
【図２】
2007058289.tif 000004
【図３】
2007058289.tif 000005
【図４】
2007058289.tif 000006
【図５】
2007058289.tif 000007
【図６】
2007058289.tif 000008
【図７】
2007058289.tif 000009
【図８】
2007058289.tif 000010
【図９】
2007058289.tif 000011
【図１０】
2007058289.tif 000012
【図１１】
2007058289.tif 000013
【図１２】
2007058289.tif 000014
【図１３】
2007058289.tif 000015